(57)【要約】【課題】  丼か鉢（２）を運ぶ場合、一緒に運びたいものとして、箸（４）、レンゲ（３）等があるが、現状ではそれらを安定的且つ容易に運ぶ手立てはなく、ただ単に、皿の余ったスペースに置いておくだけ、というのが現状である。  丼か鉢（２）と同様、清潔に保ちたいそれらを安定させて運ぶことは、１つの手間であり、その手立てが無いことは、やはり１つの欠点といえるであろう。  本発明は、この欠点を解決するためになされたものである。【解決手段】    丼か鉢（２）とセットで、丼か鉢（２）を受けるものとして丼か鉢（２）の下に置く皿に、レンゲ（３）置きの機能を持たせる為、当該使用するレンゲ（３）を置く処の形を、皿の一部分として、皿と合体して持たせることを特徴とするレンゲ置き付き皿（１）。  本発明は、以上の構成よりなる「レンゲ置き付き皿」である。【選択図】              図１
2007222450.tif 000002
【特許請求の範囲】
【請求項１】
丼か鉢とセットで、丼か鉢を受けるものとして丼か鉢の下に置く皿に、レンゲ置きの機能を持たせる為、当該使用するレンゲを置く処の形を、皿の一部分として、皿と合体して持たせることを特徴とするレンゲ置き付き皿。
【請求項２】
丼か鉢とセットで、丼か鉢を受けるものとして丼か鉢の下に置く皿に、レンゲ置きの機能を持たせる為、当該使用するレンゲを置く処の形を、皿に孔を開けることによって、皿に持たせることを特徴とするレンゲ置き付き皿。                      
【請求項３】
丼か鉢とセットで、丼か鉢を受けるものとして丼か鉢の下に置く皿に、箸置きの機能を持たせる為、皿の淵の部分に箸を置いておく凹を設けること、を特徴とする箸置き付き皿。
【請求項４】
丼か鉢とセットで、丼か鉢を受けるものとして丼か鉢の下に置く皿に、箸置きの機能を持たせる為、皿の淵の部分に箸を通す孔を開けること、を特徴とする箸置き付き皿。
【請求項５】
丼か鉢とセットで、丼か鉢を受けるものとして丼か鉢の下に置く皿に、塩胡椒置きの機能を持たせる為、皿の淵の部分に塩胡椒入りの袋を置いておく凹か孔を設けること、を特徴とする塩胡椒置き付き皿。
【請求項６】
始めから上の部分が開いていること、を特徴とする一回分のみの塩胡椒入れ。    
【発明の詳細な説明】
【技術分野】
【０００１】
丼か鉢とセットで、丼か鉢を受けるものとして丼か鉢の下に置く皿に、レンゲ、箸置き等の機能を持たせる技術に関するものである。
【背景技術】
【０００２】
丼か鉢を運ぶ場合等、丼か鉢を受けるものとして丼か鉢の下に置く皿は、料理の温度が熱い場合や衛生上の理由からも、その存在理由が認められている。
【特許文献１】特開２００５−１３８９０６
【特許文献２】登録実用新案３０５５４３２
【発明の開示】
【発明が解決しようとする課題】
【０００３】
丼か鉢を運ぶ場合、一緒に運びたいものとして、箸、レンゲ等があるが、現状ではそれらを安定的且つ容易に運ぶ手立てはなく、ただ単に、皿の余ったスペースに置いておくだけ、というのが現状である。
こうした場合、多少安定にかける傾向、気配があり、また食事の際等丼か鉢を持ち上げた場合にレンゲ等が落ち着かず皿の上をさまよう、という事態も懸念される。
登録実用新案第３０５５４３２号における考案も、
レンゲを「鉢の中にその縁縁を支えにして確実にたてかけできるようにし」たのみで、
その発明の意義は認めるものの、レンゲの安定度の観点からは今一歩の感は拭えない。
丼か鉢と同様、清潔に保ちたいそれらを安定させて運ぶことは、１つの手間であり、その手立てが無いことは、やはり１つの欠点といえるであろう。
本発明は、この欠点を解決するためになされたものである。
【課題を解決するための手段】
【０００４】
丼か鉢（２）とセットで、丼か鉢（２）を受けるものとして丼か鉢（２）の下に置く皿に、レンゲ（３）置きの機能を持たせる為、当該使用するレンゲ（３）を置く処の形、即ち凸凹を、皿の一部分として、皿と合体して持たせることを特徴とするレンゲ置き付き皿（１）。
「丼か鉢とセットの皿」とは、洋食器の「カップアンドソーサー」のように、最初からセットにすることを念頭に於いて作られた「丼か鉢と皿」を差すが、ここではもっと広く食卓に運ぶ際に上下に重ねられるもの全てを差す。
【０００５】
丼か鉢（２）とセットで、丼か鉢（２）を受けるものとして丼か鉢（２）の下に置く皿に、レンゲ（３）置きの機能を持たせる為、当該使用するレンゲ（３）を置く処の形を、皿に孔を開けることによって、皿に持たせることを特徴とするレンゲ置き付き皿（１）。
【０００６】
丼か鉢（２）とセットで、丼か鉢（２）を受けるものとして丼か鉢（２）の下に置く皿に、箸（４）置きの機能を持たせる為、皿の淵の部分に箸（４）を置いておく凹を設けること、を特徴とする箸置き付き皿（１）。
【０００７】
丼か鉢（２）とセットで、丼か鉢（２）を受けるものとして丼か鉢（２）の下に置く皿に、箸（４）置きの機能を持たせる為、皿の淵の部分に箸（４）を通す孔を開けること、を特徴とする箸置き付き皿（１）。
前２段落中［１３、１４］で述べた「凹と孔」は、通常同じものを２つ備えることによってその機能を果すが、それぞれ１つづつ、或いは１つだけの場合も「全く無い」とは云えないので、その数或いは組合せについては、無限に生じるという意味で、記さない事とした。
【０００８】
丼か鉢（２）とセットで、丼か鉢（２）を受けるものとして丼か鉢（２）の下に置く皿に、塩胡椒置きの機能を持たせる為、皿の淵の部分に塩胡椒入りの袋を置いておく凹か孔を設けること、を特徴とする塩胡椒置き付き皿（１）。
【０００９】
始めから上の部分が開いていること、を特徴とする一回分のみの塩胡椒入れ（５）。
これは通常の「塩胡椒入れ」の場合全て封がしてあり、封を空ける手間を人に求めるに対して、その手間を省く効果がある。
「丼か鉢とセットの皿」の多くの場合の使用例の様に、短時間内に塩胡椒を詰めて使用することが想定される場合に有効と思われる。
形は特に指定しないが、角柱、直方体、円柱、角錐、円錐、円の一部か二部以上を切り取ったもの等が考えられ、使い捨てで紙などを使って容易に作るのも一考である。
【発明の効果】
【００１０】
本件発明品である「レンゲ置き付き皿」或いは「箸置き付き皿」を使用することによって、丼か鉢（２）とレンゲ（３）、箸（４）、塩胡椒入れ（５）等を更に安定して、容易に運ぶことができ、また営業の場合は、特に新たな要素として盛り込むことにより、店或いはその場全体のムードを良くする効果にも期待できる。
また食事中、丼か鉢（２）を手で持つことによって、皿の上を一時的に空ける状態ー即ち皿の上に何も乗っていない状態になる場合も、レンゲ（３）、箸（４）、塩胡椒入れ（５）等は、皿の上を取り乱すこともなく、安定したまま整然と過ごすことが出来る。
【発明を実施するための最良の形態】
【００１１】
丼か鉢（２）とセットで、丼か鉢（２）を受けるものとして丼か鉢（２）の下に置く皿に、レンゲ（３）置きの機能を持たせる為、当該使用するレンゲ（３）を置く処の形、即ち凸凹を、皿の一部分として、皿と合体して持たせることを特徴とするレンゲ置き付き皿（１）。
「丼か鉢とセットの皿」とは、洋食器の「カップアンドソーサー」のように、最初からセットにすることを念頭に於いて作られた「丼か鉢と皿」を差すが、ここではもっと広く食卓に運ぶ際に上下に重ねられるもの全てを差す。
【００１２】
丼か鉢（２）とセットで、丼か鉢（２）を受けるものとして丼か鉢（２）の下に置く皿に、レンゲ（３）置きの機能を持たせる為、当該使用するレンゲ（３）を置く処の形を、皿に孔を開けることによって、皿に持たせることを特徴とするレンゲ置き付き皿（１）。
【００１３】
丼か鉢（２）とセットで、丼か鉢（２）を受けるものとして丼か鉢（２）の下に置く皿に、箸（４）置きの機能を持たせる為、皿の淵の部分に箸（４）を置いておく凹を設けること、を特徴とする箸置き付き皿（１）。
【００１４】
丼か鉢（２）とセットで、丼か鉢（２）を受けるものとして丼か鉢（２）の下に置く皿に、箸（４）置きの機能を持たせる為、皿の淵の部分に箸（４）を通す孔を開けること、を特徴とする箸置き付き皿（１）。
前２段落中［１３、１４］で述べた「凹と孔」は、通常同じものを２つ備えることによってその機能を果すが、それぞれ１つづつ、或いは１つだけの場合も「全く無い」とは云えないので、その数或いは組合せについては、無限に生じるという意味で、記さない事とした。
【００１５】
丼か鉢（２）とセットで、丼か鉢（２）を受けるものとして丼か鉢（２）の下に置く皿に、塩胡椒置きの機能を持たせる為、皿の淵の部分に塩胡椒入りの袋を置いておく凹か孔を設けること、を特徴とする塩胡椒置き付き皿（１）。
【００１６】
始めから上の部分が開いていること、を特徴とする一回分のみの塩胡椒入れ（５）。
これは通常の「塩胡椒入れ」の場合全て封がしてあり、封を空ける手間を人に求めるに対して、その手間を省く効果がある。
「丼か鉢とセットの皿」の多くの場合の使用例の様に、短時間内に塩胡椒を詰めて使用することが想定される場合に有効と思われる。
形は特に指定しないが、角柱、直方体、円柱、角錐、円錐、円の一部か二部以上を切り取ったもの等が考えられ、使い捨てで紙などを使って容易に作るのも一考である。
【００１７】
なお本発明は、食器たる皿をその対象とするゆえ、当然洗う際の手間も出来るだけかからぬよう、各切り込み、盛り上がりの角度はできるだけ丸くなるようにする。
【図面の簡単な説明】
【００１８】
【図１】凸凹を持つレンゲ置き付き皿の鉢と皿の見取り図
【図２】凸凹を持つレンゲ置き付き皿の皿のみの上方平面図
【図３】孔を持つレンゲ置き付き皿の皿のみの上方平面図
【図４】塩胡椒入れの見取り図
【符号の説明】
【００１９】
１  レンゲ置き付き皿
２  丼か鉢  
３  レンゲ
４  箸
５  塩胡椒入れ
６  レンゲ置き用の凹ａ
７  箸置き用の凹
８  塩胡椒入れ設置用の孔
９  レンゲ置き用の凹ｂ
１０  レンゲ置き用の凸
１１  レンゲ置き用の孔
１２  箸置き用の孔
【図１】
2007222450.tif 000003
【図２】
2007222450.tif 000004
【図３】
2007222450.tif 000005
【図４】
2007222450.tif 000006